(57)【要約】【課題】  地震によって扉開口枠が変形しても確実に開閉することができる地震災害対応扉を提供することを目的としている。【解決手段】  断面視略凹字状のフレーム材１００Ａ、１００Ｂ、１００Ｃ、１００Ｄを組み合わせて構成した矩形状のフレーム１００と、このフレーム１００のフレーム材１００Ａ、１００Ｂ、１００Ｃ、１００Ｄ間をカバーするプレート材２００と、このプレート材２００と前記フレーム材１００Ａ、１００Ｂ、１００Ｃ、１００Ｄとを連結する連結材３００とを備えており、前記フレーム材１００Ａ、１００へ、１００Ｃ、１００Ｄと前記連結材３００とは溶接で連結され、前記プレート材１００Ａ、１００へ、１００Ｃ、１００Ｄと前記連結材３００とはフレーム１００が変形すると切断されるピン材４００によって連結されている。【選択図】      図１
0003159894.tif 000002
【実用新案登録請求の範囲】
【請求項１】
断面視略凹字状のフレーム材を組み合わせて構成した矩形状のフレームと、このフレームのフレーム材間をカバーするプレート材と、このプレート材と前記フレーム材とを連結する連結材とを具備しており、前記フレーム材と前記連結材とは溶接で連結され、前記プレート材と前記連結材とはフレームが変形すると切断されるピン材によって連結されていることを特徴とする地震災害対応扉。
【請求項２】
前記プレート材と前記連結材とは、ピン材のみならず接着剤によっても連結されていることを特徴とする請求項１記載の地震災害対応扉。
【請求項３】
前記フレーム材のうち、最下段の横下フレーム材と、建物の扉開口枠にヒンジ結合される縦フレーム材との間には筋交い材が連結されていることを特徴とする請求項１又は２記載の地震災害対応扉。
【考案の詳細な説明】
【技術分野】
【０００１】
本考案は、地震災害発生時に、扉開口枠が衝撃で変形しても、開閉が可能な地震災害対応扉に関する。
【背景技術】
【０００２】
従来の扉は、フレーム材を額縁状に組み合わせたフレームにパネル材が溶接等で強固に接続されたものであった。
このため、地震災害が生じた場合に、地震時の水平方向荷重で扉開口枠が変形し、扉開口枠の幅が小さくなってしまった場合や、上記で想定以上の変形（躯体自体の崩壊）の場合に開閉不可能となっている。
かかる問題を避けるために、地震災害時の水平方向荷重による扉開口枠の変形に応じて扉自身が変形することで、扉開口枠の変形後も開閉を確保することができる扉が創案されている（特許文献１）。
この特許文献１記載の扉は、フレームの一部に地震時の水平方向荷重によって変形する衝撃吸収部を設け、この衝撃吸収部の変形で扉の開閉を確保するようになっている。
【０００３】
【特許文献１】特開平０９−０１３８３１
【考案の開示】
【考案が解決しようとする課題】
【０００４】
しかしなから、地震時の水平方向荷重でフレームの一部の衝撃吸収部が変形したとしても、その変形が内側向きであればよいが、外側向きであった場合、変形した衝撃吸収部が扉開口枠に食い込んでしまい、かえって扉の開閉が困難になるという問題点がある。
【０００５】
本考案は、上記事情に鑑みて創案されたもので、地震によって扉開口枠が変形しても確実に開閉することができる地震災害対応扉を提供することを目的としている。
【課題を解決するための手段】
【０００６】
本考案に係る地震災害対応扉は、断面視略凹字状のフレーム材を組み合わせて構成した矩形状のフレームと、このフレームのフレーム材間をカバーするプレート材と、このプレート材と前記フレーム材とを連結する連結材とを備えており、前記フレーム材と前記連結材とは溶接で連結され、前記プレート材と前記連結材とはフレームが変形すると切断されるピン材によって連結されている。
【０００７】
前記プレート材と前記連結材とは、ピン材のみならず接着剤によっても連結されることも可能である。
【０００８】
前記フレーム材のうち、最下段の横下フレーム材と、建物の扉開口枠にヒンジ結合される縦フレーム材との間には筋交い材が連結されている。
【考案の効果】
【０００９】
本考案に係る地震災害対応扉は、プレート材と連結材とはピン材、それもフレームが変形すると切断されるピン材によって連結されているため、地震による扉開口枠が略菱形の変形に応じて、ピン材が切断される。このピン材の切断によって、連結材とプレート材との間の連結が解除されるので、地震災害対応扉は扉開口枠の変形に応じて変形することになる。
このため、変形した地震災害対応扉は扉開口枠の変形に沿った形になるので、変形した地震災害対応扉は扉開口枠が変形した状態でも開閉が可能になる。
【図面の簡単な説明】
【００１０】
【図１】本考案の実施の形態に係る地震災害対応扉の概略的正面図である。
【図２】本考案の実施の形態に係る地震災害対応扉の各フレーム材、連結材、パネル材の関係を示す概略的断面である。
【図３】本考案の実施の形態に係る地震災害対応扉の横上フレーム材の端部からアングル材が突出している状態を示す概略的斜視図である。
【図４】本考案の実施の形態に係る地震災害対応扉の図面であって、プレート材を外して内部の筋交い材を示す概略的正面図である。
【図５】本考案の実施の形態に係る地震災害対応扉が扉開口枠の変形に従って変形した際の連結材、プレート材及びピン材の関係を説明する図面であって、同図（Ａ）は概略的断面図、同図（Ｂ）は連結材側ピン用孔とプレート材側ピン用孔とのずれを示す概略的正面図である。
【図６】本考案の実施の形態に係る地震災害対応扉が扉開口枠の変形に従って変形した状態の概略的正面図である。
【考案を実施するための形態】
【００１１】
本考案の実施の形態に係る地震災害対応扉１０００は、断面視略凹字状のフレーム材１００Ａ、１００Ｂ、１００Ｃ、１００Ｄを組み合わせて構成した矩形状のフレーム１００と、このフレーム１００のフレーム材１００Ａ、１００Ｂ、１００Ｃ、１００Ｄ間をカバーするプレート材２００と、このプレート材２００と前記フレーム材１００Ａ、１００Ｂ、１００Ｃ、１００Ｄとを連結する連結材３００とを備えており、前記フレーム材１００Ａ、１００へ、１００Ｃ、１００Ｄと前記連結材３００とは溶接で連結され、前記プレート材１００Ａ、１００へ、１００Ｃ、１００Ｄと前記連結材３００とはフレーム１００が変形すると切断されるピン材４００によって連結されている。
【００１２】
まず、フレーム１００は、図１等に示すように４個のフレーム材１００Ａ、１００Ｂ、１００Ｃ、１００Ｄを矩形状に組み合わせたものである。４個のフレーム材１００Ａ、１００Ｂ、１００Ｃ、１００Ｄは、最も上側の横上フレーム材１００Ａと、最も下側の横下フレーム材１００Ｄと、前記横上フレーム材１００Ａの一端と前記横下フレーム材１００Ｄの一端とを連結する第１の縦フレーム材１００Ｃと、前記横上フレーム材１００Ａの他端と前記横下フレーム材１００Ｄの他端とを連結する第２の縦フレーム材１００Ｂとから構成されている。
横上フレーム材１００Ａと横下フレーム材１００Ｄとの長さは同一に設定されている。まだ、第１の縦フレーム材１００Ｃと第２の縦フレーム材１００Ｂとも長さは同一に設定されている。そして、横上フレーム材１００Ａと第１の縦フレーム材１００Ｃとでは、第１の縦フレーム材１００Ｃの方が長く設定されている。
従って、各フレーム材１００Ａ、１００Ｂ、１００Ｃ、１００Ｄを組み合わせると、縦長の長方形額縁状のフレーム１００が形作られる。
【００１３】
例えば、横上フレーム材１００Ａは、図２に示すように、一対の平行な壁部１１０Ａ、１１０Ａと、この壁部１１０Ａ、１１０Ａをつなぐ中間部１２０Ａとが一体に形成された断面視略下向き凹字形状に形成されている。
他の横上フレーム材１００Ｄ、第１の縦フレーム材１００Ｃ及び第２の縦フレーム材１００Ｂも同様になっている。
【００１４】
これらのフレーム材１００Ａ、１００Ｂ、１００Ｃ、１００Ｄは、例えば、アルミニウムの押出材であり、図３等に示すように、断面が略凹字状に形成されている。各フレーム材１００Ａ、１００Ｂ、１００Ｃ、１００Ｄは、断面視略凹字形状のアングル材５００で連結されている。
例えば、横上フレーム材１００Ａと第２の縦フレーム材１００Ｂとを連結するアングル材５００は、図３に示すように、第２の縦フレーム材１００Ｂの深さに対応した長さだけ突出した形で横上フレーム材１００Ａの一端部に挿入される。なお、図３には第２の縦フレーム材１００Ｂはあらわされていない。
【００１５】
なお、このアングル材５００と各フレーム材１００Ａ、１００Ｂ、１００Ｃ、１００Ｄとの間には後述する連結材３００が介在される。
アングル材５００と横上フレーム材１００Ａとの間、アングル材５００と第２の縦フレーム材１００Ｂとの間には、連結材３００が介在されるが、この連結材３００ともどもアングル材５００と各フレーム材１００Ａ、１００Ｂ、１００Ｃ、１００Ｄとは、溶接によって連結される。  
横上フレーム材１００Ａと第１の縦フレーム材１００Ｃ、横下フレーム材１００Ｄと第１の縦フレーム材１００Ｃ、横下フレーム材と第２の縦フレーム材１００Ｂとは、同様のアングル材５００によって連結されて、額縁状のフレーム１００を構成することになる。
【００１６】
かかるフレーム１００は、前記第１の縦フレーム材１００Ｃにおいて、この地震災害対応扉１０００が取り付けられる建物の扉開口枠（図示省略）にヒンジ７００によってヒンジ結合される。
【００１７】
かかる第１の縦フレーム材１００Ｃと最下段の横下フレーム材１００Ｄとの間には、図４に示すように、筋交い材６００が連結されている。
この筋交い材６００の一端は、第１の縦フレーム材１００Ｃの上側のヒンジ７００が設けられた箇所の近傍に、他端は横下フレーム材１００Ｄが第２の縦フレーム材１００Ｂと連結される箇所の近傍においてそれぞれフレーム１００と連結される。
かかる筋交い材６００は、地震災害対応扉１０００を扉開口枠に取り付けた状態で、通常時に横下フレーム材１００Ｄが自重で下がることで、地震災害対応扉１０００の全体が変形すること、ひいては地震災害対応扉１０００のスムーズな開閉が行えないようになることを防止するためのものである。
【００１８】
一方、前記連結材３００は、例えば、ステンレス材を２つの開口部３１０、３１０（図１において開口部３１０は一点鎖線で示されている。）を有する略日の字状に形成したものであって（図４参照）、４つのフレーム材１００Ａ、１００Ｂ、１００Ｃ、１００Ｄによって構成されるフレーム１００の内側に入り込むようなサイズに設定されている。しかも、図２に示すように、フレーム１００に入り込んだ連結材３００の縁部３２０が各フレーム材１００Ａ、１００Ｂ、１００Ｃ、１００Ｄの中間部１２０Ａ、１２０Ｂ、１２０Ｃ、１２０Ｄに接触するようにサイズに設定されている。また、連結材３００は各フレーム材１００Ａ、１００Ｂ、１００Ｃ、１００Ｄとアングル材５００との間に挟まれる位置に嵌め込まれる。この連結材３００と各フレーム材１００Ａ、１００Ｂ、１００Ｃ、１００Ｄとは溶接で連結される。
なお、この連結材３００は、地震災害対応扉１０００の表裏両面に１つずつ用いられるので、１つの地震災害対応扉１０００には２つの連結材３００を用いることになる。
【００１９】
かかる連結材３００の開口部３１０の周囲には、一定間隔でピン材４００のための連結材側ピン用孔３３０が開設されている。この連結材側ピン用孔３３０は、連結材３００をフレーム１００に取り付けた状態でもフレーム１００を構成する各フレーム材１００Ａ、１００Ｂ、１００Ｃ、１００Ｄによって隠されることがない位置に開設されている。
【００２０】
前記プレート材２００は、例えば、ステンレス板材であり、図１に示すように、日の字状の連結材３００の内側の大きな２つの開口部３１０をカバーするものである。従って、プレート材２００は１面に２枚用いられるので、表裏両面で合計４枚を用いることになる。かかるプレート材２００の外周部には、一定間隔でピン材４００のためのプレート材側ピン用孔２３０が開設されている。このプレート材側ピン用孔２３０は、プレート材２００をフレーム１００に取り付けられた連結材３００と重ねると、連結材側ピン用孔３３０と一致するサイズ、位置に開設されている。
【００２１】
一方、前記連結材側ピン用孔３３０とプレート材側ピン用孔２３０とを貫通するピン材４００は、前記連結材側ピン用孔３３０及びプレート材側ピン用孔２３０の径よりより若干細い径に設定されている。しかも、このピン材４００の長さは、連結材３００の厚さ寸法とプレート材２００の厚さ寸法との和よりある程度長く設定されている。これは、ピン材４００の両端をかしめることでプレート材２００を連結材３００に連結するためである。
【００２２】
連結材３００とプレート材２００とを貫通するピン材４００は例えば、真鍮等から構成されており、プレート材側ピン用孔２３０は、連結材３００をフレーム１００に取り付けた状態でもフレーム１００を構成する各フレーム材１００Ａ、１００Ｂ、１００Ｃ、１００Ｄによって隠されることがない位置に開設されている。
【００２３】
なお、フレーム１００とプレート材１００Ａ、１００Ｂ、１００Ｃ、１００Ｄとの間にあらわれる連結材３００は、パテ等で覆って隠すことも可能である。
【００２４】
上述した構成の地震災害対応扉１０００は、地震発生時に以下のようにして変形する。
地震によって図６に示すように扉開口枠が略菱形に変形すると、連結材３００とフレーム１００とを連結するピン材４００が切断される。
すなわち、扉開口枠が略菱形に変形することによって、その力が地震災害対応扉１０００に伝わり、図５（Ａ）、（Ｂ）に示すように、前記連結材側ピン用孔３３０とプレート材側ピン用孔２３０との間に位置ずれが生じる。この位置ずれは、連結材側ピン用孔３３０とプレート材側ピン用孔２３０とを通過しているピン材４００を剪断し切断する。このピン材４００の切断によって、連結材３００とプレート材２００との間の連結が解除されるので、地震災害対応扉１０００は扉開口枠の変形に応じて変形することになる。
このため、変形した地震災害対応扉１０００は扉開口枠の変形に沿った形になるので、変形した地震災害対応扉１０００は扉開口枠が変形した状態でも開閉が可能になる。
なお、連結が解除されたプレート材２００は、地震災害対応扉１０００の外側に落下した状態になっている。
【００２５】
扉開口枠の変形に応じて変形しない従来型の扉の場合には、扉開口枠の変形のために、扉の開閉が不可能になるという問題があった。
これは、扉開口枠が変形しても扉自身が変形しないことに起因しているが、本考案の実施の形態に係る地震災害対応扉１０００では、扉開口枠の変形に応じて地震災害対応扉１０００自身が変形するので、扉開口枠が変形した状態でも開閉が可能になるのである。
【００２６】
なお、上述した実施の形態では、連結材３００とプレート材２００とをピン材４００のみによって連結するとしたが、ピン材４００と接着剤とを併用することも可能である。
すなわち、ピン材４００とピン材４００との間（連結材３００とプレート材２００とが構造的に連結されていない部分）にスポット的に接着剤を塗布しておくことで、連結材３００とプレート材２００とを連結するピン材４００に対して、通常時（地震が発生していない時）にくわわるストレスを低減させることが可能となる。
【００２７】
また、上述した実施の形態では、各フレーム材１００Ａ、１００Ｂ、１００Ｃ、１００Ｄとアングル材５００とは、溶接で連結するとしたが、連結材５００とプレート材２００と同様のピン材で連結することも可能である。
【符号の説明】
【００２８】
１００Ａ、１００Ｂ、１００Ｃ、１００Ｄ  フレーム材
２００    プレート材
３００    連結材
４００    ピン材
１０００  地震災害対応扉
【図１】
0003159894.tif 000003
【図２】
0003159894.tif 000004
【図３】
0003159894.tif 000005
【図４】
0003159894.tif 000006
【図５】
0003159894.tif 000007
【図６】
0003159894.tif 000008